【事件の表示】
　平成　４年特許願第２０３１３６号「パチンコ機の機構板」拒絶査定に対する審判事件［平成　６年　２月　１日出願公開、特開平　６−　２３１１５］について、次のとおり審決する。
【結　論】
　本件審判の請求は、成り立たない。
【理　由】
１．手続の経緯・本願発明
　本願は、平成４年７月６日の出願であって、その請求項１に係る発明（以下、「本願発明」という。）は、平成１２年１２月２５日付けの手続補正書によって補正された明細書の特許請求の範囲の請求項１に記載された次のとおりのものである。
　
「両側に支持壁を有する基台部と、該基台部の両支持壁間に回動自在に支持され、その回動により固定具を引寄せて締付力を生じさせるレバーとからなる締付具が装着される合成樹脂製のパチンコ機の機構板において、前記締付具の基台部を機構板と一体に形成し、該基台部の両支持壁に、前記レバーの短軸を挿入して移動させるガイド長孔と該短軸の軸受となる鉤状部を設けると共に、該基台部の両支持壁の間に位置する機構板部分に固定具の係合溝が臨む開孔を設けたことを特徴とするパチンコ機の機構板。」
　
２．引用刊行物記載の発明
　これに対して、原査定の拒絶の理由に引用された、本願の出願日前である平成１年９月１８日に頒布された実願昭６３−３３３６３号（実開平１−１３５９８２号）のマイクロフィルム（以下、「引用刊行物」という。）には、図面と共に次の事項が記載されている。
　
（１）「パチンコ機１は側枠２の前面に前面枠３が開閉自在に取付けられる。前面枠３の裏面には、取付枠４が固着される。取付枠４には遊技盤５が着脱自在に装着される。遊技盤５の裏面には入賞球集合部６、景品球タンク７、景品球放出機構８などの裏部品を形成した機構板９が着脱自在に装着される。」（明細書第４ページ第１８行〜第５ページ第４行）
　
（２）「締付具１０は、左右両側に支持壁１２，１２を対設した断面コ字状の枠体１３を備えている。支持壁１２，１２には長手方向に沿ったガイド用の長孔１４，１４がそれぞれ穿設され、底部１５には前面に貫通する縦長の開孔１６が形成されている。前記支持壁１２，１２の間にはレバー１７の下端が軸１８により前後方向へ回動可能に枢支されている。また、レバー１７の下方に位置した支持壁１２，１２の間には係合部材１９が上下方向へ移動可能に設けられている。係合部材１９は、先端にローラー状の係合部２０を備え、該係合部２０の両側から上方へ延びる連結腕２１，２１の基端がレバー１７の側面の略中間位置にピン２２にて枢支連結されている。また係合部２０の両側には突起２３，２３が突設されており、該突起２３，２３は支持壁１２，１２の長孔１４，１４内に挿通されている。なお、前記長孔１４，１４の上端部には突起２３，２３が係止される係止用凹孔部１４ａ，１４ａを形成している。この係止用凹孔部１４ａ，１４ａは、レバー１７を第５図鎖線で示す締付解除位置に保持する機能を有する。また、枠体１３の上側辺には中心にねじ挿入孔２４を穿設した嵌合筒部２５が形成され、下側辺には係止片２６が形成されている。
　前記締付具１０は、例えば機構板９の裏面の周縁部分の左右上下位置に固定的に取付けられる。本実施例の場合、機構板９の裏面の取付個所には第２図に示したように低くしたリブ壁２７を突出させて枠体１３の外形状に合致する取付部２８を形成し、その取付部２８の上下位置に中心にねじ孔３４を有するねじ筒３０と差込み係止部３１を設けている。また、取付部２８に位置した機構板９には枠体１３の開孔１６に合致する挿入孔３２が穿設される。そして、締付具１０の取付けは、枠体１３の係止片２６を係止部３１に差込み、嵌合筒部２５をねじ筒３０に嵌装させ、ねじ３３を嵌合筒部２５のねじ挿入孔２４からねじ筒３０のねじ孔３４に螺着することによって達せられる。
　一方、固定具１１は、金属板により広幅の取付片部３５を形成し、この取付片部３５に取付用孔３６，３６を穿設すると共に、先端に鉤状片３７を一体に突出させて前記した締付具１０の係合部２０が係合する係合溝３８を形成して成る。そして、この固定具１１は、機構板９を遊技盤５の裏面に密着した場合に鉤状片３７が機構板９の挿入孔３２及び締付具１０の枠体１３の開孔１６を貫通して前面へ突出し、係合溝３８が締付具１０の係合部２０と対応するように位置決めして遊技盤５の取付枠４の側面にねじ３９により固着される。
　上記した構成からなる遊技盤の固定装置は、締付具１０のレバー１７を第５図鎖線で示した締付解除位置に回動し、係合部材１９の係合部２０を固定具１１の鉤状片３７が支えない上方位置に移動させた状態で機構板９を遊技盤５の裏面に密着させる。なお、この際に係合部２０の両側の突起２３，２３を長孔１４，１４の係止用凹孔部１４ａ，１４ａに係合させることによって、レバー１７をその締付解除位置に停止保持させておくことができる。従って、機構板９の装着作業が極めて容易にできる。
　そして、この状態からレバー１７を第５図実線に示した締付位置に回動させると、係合部材１９がピン２２を支点として回動し、この回動に伴い係合部２０が突起２３，２３を介して長孔１４，１４に沿い前方へ移動して固定具１１の係合溝３８に係合することになり、その結果、固定具１１が引き寄せられると同時にその反作用によって機構板９が遊技盤５の裏面に強く圧接され、それによって遊技盤５を取付枠４に強固に固定することができる。」（明細書第５ページ第１０行〜第８ページ第１４行）
　
　記載事項（２）及び図面の記載によると、枠体１３の両支持壁１２，１２には、レバー１７の軸１８の軸受けが設けられているといえる。
　また、記載事項（２）によると、枠体１３の底部１５及び機構板９に形成された取付部２８は、枠体１３の両支持壁１２，１２の間に位置するものであり、固定具１１の鉤状片３７が機構板９の挿入孔３２及び枠体１３の開孔１６を貫通して固定具１１の係合溝３８が締付具１０の係合部２０と対応するように位置決めされていることから、挿入孔３２及び開孔１６は固定具１１の係合溝３８に臨むものといえる。　　　
　よって、上記記載事項（１）及び（２）並びに図面の記載によると、引用刊行物には、
「両側に支持壁１２を有する枠体１３と、該枠体１３の両支持壁１２，１２間に回動自在に支持され、その回動により固定具１１を引寄せて締付力を生じさせるレバー１７とからなる締付具１０が装着されるパチンコ機１の機構板９において、前記締付具１０の枠体１３を機構板９に取付け、該枠体１３の両支持壁１２，１２に前記レバー１７の軸１８の軸受けを設けると共に、該枠体１３の両支持壁１２，１２の間に位置する底部１５に固定具１１の係合溝３８が臨む開孔１６を設け、該枠体１３の両支持壁１２，１２の間に位置する機構板９部分に固定具１１の係合溝３８が臨む挿入孔３２を設けたパチンコ機１の機構板９。」
の発明（以下、「引用刊行物記載の発明」という。）が記載されていると認められる。
　
３．対比
　本願発明と引用刊行物記載の発明を対比すると、引用刊行物記載の発明における「支持壁１２」、「枠体１３」、「固定具１１」、「レバー１７」、「締付具１０」、「パチンコ機１」、「機構板９」、「軸１８」、「係合溝３８」、「開孔１６及び挿入孔３２」が、本願発明における「支持壁」、「基台部」、「固定具」、「レバー」、「締付具」、「パチンコ機」、「機構板」、「短軸」、「係合溝」、「開孔」にそれぞれ対応するので、次の一致点において両者の構成は一致し、次の各相違点において両者の構成は相違する。
　
　一致点：両側に支持壁を有する基台部と、該基台部の両支持壁間に回動自在に支持され、その回動により固定具を引寄せて締付力を生じさせるレバーとからなる締付具が装着されるパチンコ機の機構板において、該基台部の両支持壁にレバーの短軸の軸受を設けると共に、該基台部の両支持壁の間に位置する機構板部分に固定具の係合溝が臨む開孔を設けたパチンコ機の機構板である点。
　
　相違点１：本願発明においては、機構板及び基台部が合成樹脂により一体に形成されているのに対し、引用刊行物記載の発明においては、機構板及び基台部を別々に形成して機構板に基台部を取り付けていると共に、材質が不明である点。
　
　相違点２：本願発明においては、両支持壁にレバーの短軸を挿入して移動させるガイド長孔と該短軸の軸受となる鉤状部を設けるのに対し、引用刊行物記載の発明においては、両支持壁に単に軸受を設けるものである点。
　
４．当審の判断
　上記各相違点について検討する。
　
　先ず、相違点１について検討する。
　パチンコ機の機構板において、何らかの機能を有する部材と機構板とを合成樹脂で一体に形成することは、例えば、特開昭６３−１５８０８６号公報にセーフ球通路、賞球導出路及び点検扉７８の軸支部８２を載置して点検扉７８を開閉可能に支持するための支持突起８０を合成樹脂製の基板２２に一体形成することが（特に、第１ページ左下欄第８〜１１行及び第４ページ左上欄第７〜１６行の記載参照。）記載されているように、本願出願前において周知であると共に、引用刊行物の記載事項（１）によればその機構板９は他の裏部品を一体に形成した合成樹脂製のものと推認されるので、機構板及び基台部を合成樹脂により一体に形成することは当業者であれば容易に想到し得るものである。
　
　次に、相違点２について検討する。
　回転軸を軸受に挿入して枢支するための構造として、回転軸を軸受部に移動させるためのガイド部及び軸受となる鉤状部を設ける構造は、例えば、実願昭６１−１４２４４７号（実開昭６３−４７７４５号）のマイクロフィルムに穴５と切欠溝９との連通部に閉塞部８を形成した合成樹脂製の軸受Ｂが（特に、明細書第５ページ第８〜１６行の記載参照。）記載され、実願昭６０−１５９０８４号（実開昭６２−６６６９６号）のマイクロフィルムにテーパ状の導入路と実際の軸受部である円形孔部とからなり、両部間の顎部２５、２６で抜止めをする開放軸受溝１２、１２’が（特に、明細書第６ページ第１１行〜同第７ページ第１行の記載参照。）記載されているように、本願出願前において周知であり、ガイド部の形状は軸受を設ける位置等により当業者が適宜設定し得る設計的事項であるから、両支持壁にレバーの短軸を挿入して移動させるガイド長孔と該短軸の軸受となる鉤状部を設けることは、当業者であれば容易に想到し得るものである。
　
　そして、本願発明の作用効果は、引用刊行物記載の発明及び前記周知技術に基づいて当業者が容易に予測できるものである。
　
　よって、本願発明は、引用刊行物に記載された発明に基づいて当業者が容易に発明をすることができたものである。
　
５．むすび
　したがって、本願請求項１に係る発明は、引用刊行物に記載された発明に基づいて当業者が容易に発明をすることができたものであるので、特許法第２９条第２項の規定により特許を受けることができない。
　よって、結論のとおり審決する。